(57)【要約】      （修正有）【課題】一枚の紙で形成するという簡単な構成で、用途（持ち運び用途、ディスプレイ用途）に応じた形状変更が不要で、さらに花を固定する構成を有する花のハンドキャリーパッケージを提供する。【解決手段】茎の反花側が配される底面２と、茎の反花側を支持する第一側面３と、茎の花側を支持するとともに開口部５を有する第二側面４と、を有する花のハンドキャリーパッケージであって、底面、第一側面及び第二側面が一枚の紙で形成され、対向する２つの第一側面と第二側面の反底面側をそれぞれ接続し、設置面に底面が接するように配置すると、あたかも一輪挿し（花瓶）に飾られた花としてディスプレイ用途に最適であり、開口部に指等を挿入することによって、容易に持ち運びが可能である。【選択図】図１
0003221691.tif 000002
【実用新案登録請求の範囲】
【請求項１】
茎の反花側が配される底面と、前記茎の反花側を支持する第一側面と、前記茎の花側を支持するとともに開口部を有する第二側面と、を有する花のハンドキャリーパッケージにおいて、
前記底面、前記第一側面及び前記第二側面が一枚の紙で形成されたことを特徴とする花のハンドキャリーパッケージ。
【請求項２】
前記第一側面が、対向する２つの側面Ａで構成され、前記２つの側面Ａの反底面側を接続することを特徴とする請求項１に記載の花のハンドキャリーパッケージ。
【請求項３】
前記第二側面が、対向する２つの側面Ｂで構成され、前記２つの側面Ｂの反底面側を接続することを特徴とする請求項１又は２に記載の花のハンドキャリーパッケージ。
【請求項４】
前記茎の反花側に保水材を設け、前記第一側面で前記保水材を支持することを特徴とする請求項１乃至請求項３のいずれかに記載の花のハンドキャリーパッケージ。
【考案の詳細な説明】
【技術分野】
【０００１】
本考案は、花のハンドキャリーパッケージに関するものであり、より詳細には、持ち運びの機能と、ディスプレイ容器の機能とを併せ持つ花のハンドキャリーパッケージに関するものである。
【背景技術】
【０００２】
持ち運びの機能と、ディスプレイ容器の機能とを併せ持つ花のハンドキャリーパッケージとして、特許文献１が開示されている。特許文献１に開示された花のハンドキャリーパッケージの構成を図８に示す。底部分１２、正面部１３及び側面部１４で構成されたディスプレイ容器に、持ち運び機能部１１を追加した構成となっている。そして、持ち運び時には、持ち運び機能部１１を保持することでディスプレイ容器を持ち運ぶことができる。また、ディスプレイ時には、持ち運び機能部１１をディスプレイ容器の底部分１２に敷き込み使用する点が開示されている。
【先行技術文献】
【特許文献】
【０００３】
【特許文献１】特開２０１６−１６９０４７号公報
【考案の概要】
【考案が解決しようとする課題】
【０００４】
特許文献１に記載の花のハンドキャリーパッケージは、持ち運び時の形状と、ディスプレイ時の形状とが異なる。そのため、使用者は用途（持ち運び用途、ディスプレイ用途）に応じて、形状変更が必要であり、使い勝手が悪いという問題点を有していた。
【０００５】
また、花等を入れる空間と、持ち運び時の持ち手とは有するものの、花を固定する構成がないため、花の落下等の問題点を有していた。
【０００６】
本考案は、上記課題に鑑みてなされたものであり、一枚の紙で形成するという簡単な構成で、用途（持ち運び用途、ディスプレイ用途）に応じた形状変更が不要で、さらに花を固定する構成を有する花のハンドキャリーパッケージを提供することを目的とする。
【課題を解決するための手段】
【０００７】
本考案者らは、上記課題を解決するべく鋭意検討を行った結果、茎の花側を支持するとともに開口部を有する第二側面を設けるという簡単な構成で、用途（持ち運び用途、ディスプレイ用途）に応じた形状変更が不要で、さらに花の固定に適した花のハンドキャリーパッケージを提供できることを見出し、本考案を完成するに至った。
【０００８】
そして、本考案の一観点によれば、茎の反花側が配される底面と、茎の反花側を支持する第一側面と、茎の花側を支持するとともに開口部を有する第二側面と、を有する花のハンドキャリーパッケージにおいて、底面、第一側面及び第二側面が一枚の紙で形成されたことを特徴とするものである。
【０００９】
さらに、第一側面が、対向する２つの側面Ａで構成され、２つの側面Ａの反底面側を接続すると望ましい。
【００１０】
さらに、第二側面が、対向する２つの側面Ｂで構成され、２つの側面Ｂの反底面側を接続すると望ましい。
【００１１】
さらに、茎の反花側に保水材を設け、第一側面で保水材を支持すると望ましい。
【考案の効果】
【００１２】
本考案によれば、一枚の紙で形成するという簡単な構成で、用途（持ち運び用途、ディスプレイ用途）に応じた形状変更が不要で、さらに花を固定できる花のハンドキャリーパッケージを提供できる利点がある。
【図面の簡単な説明】
【００１３】
【図１】実施形態に係る花のハンドキャリーパッケージを展開した図である。
【図２】実施形態に係る花のハンドキャリーパッケージの第一段階の組立図である。
【図３】実施形態に係る花のハンドキャリーパッケージの第二段階の組立図である。
【図４】実施形態に係る花のハンドキャリーパッケージの第三段階の組立図である。
【図５】実施形態に係る花のハンドキャリーパッケージの第四段階の組立図である。
【図６】実施例に係る花のハンドキャリーパッケージで花を持ち運ぶ状態を示す図である。
【図７】実施例に係る花のハンドキャリーパッケージで花をディスプレイする状態を示す図である。
【図８】従来の花のハンドキャリーパッケージを示す図である。
【考案を実施するための形態】
【００１４】
以下、本考案の実施形態について説明する。本考案の範囲はこれらの説明に拘束されることはなく、以下の例示以外についても、本考案の趣旨を損なわない範囲で適宜変更し実施することができる。
【００１５】
図１は、本考案の花のハンドキャリーパッケージ１を展開した図である。図１に示すように、花のハンドキャリーパッケージ１は、茎の反花側が配される底面２と、茎の反花側を支持する第一側面３と、茎の花側を支持するとともに開口部５を有する第二側面４とを有し、底面２、第一側面３及び第二側面４が一枚の紙で構成されている。また、第一側面３には、茎が貫通する挿入部６が設けてある。なお、破線は底面２及び第一側面３の境界、並びに底面２及び第二側面４の境界であり、第一側面３、第二側面４が折り返される部位を示す。また、灰色に塗りつぶした部位は接着面であり、２つの側面Ａ（第一側面３）の接着面、並びに、２つの側面Ｂ（第二側面４）の接着面を示している。また、参考までに各部位の長さをｍｍ単位で示しておく。
【００１６】
図２〜図５は、花のハンドキャリーパッケージ１の組立図である。図２は、第一段階の組立図であり、茎７の反花側に保水材８を設けて底面２に配置する。図３は、第二段階の組立図であり、対向する２つの側面Ａ３の反底面側どうしを接着面で接続し、保水材８を覆うように茎７を支持する。その際、挿入部６に茎７を通す構成となっている。図４は、第三段階の組立図であり、一方の側面Ｂ４の２つの接着面の間に茎７を手で保持する様子を示している。図５は、第四段階の組立図であり、他方の側面Ｂ４と一方の側面Ｂ４とを接着面で接続することで、茎７の花側を側面Ｂ４で支持する。
【００１７】
以上のような構成の本実施形態においては、一枚の紙で形成するという簡単な構成で、用途（持ち運び用途、ディスプレイ用途）に応じた形状変更が不要で、さらに花を固定することができる。すなわち、設置面に底面２が接するように配置すると、あたかも一輪挿し（花瓶）に飾られた花としてディスプレイ用途に最適である。また、開口部５に指等を挿入することによって、容易に持ち運びが可能である。
【００１８】
そして、本実施形態において、保水材８は第一に花の寿命を延ばすために設けるものであって、花の寿命を延ばすことができる限りにおいて限定されるわけではないが、水以外の栄養分、肥料を含む液体を含有する部材でもよい。また保水材８は第二に花を支持するために設けるものであって、保水機能のないプラスチック、樹脂、ゴム等の弾性部材、金属で代替えすることも可能である。特に金属で代替えすることで、底面２付近の重量が増すので、安定にディスプレイできる。また保水材８は無くてもよい。保水材８を無くすことで、軽くなり容易に持ち運びできる。
【００１９】
また、本実施形態においては、１本の花をディスプレイする、持ち運びする構成を示したが、複数本の花に適用することも可能である。例えば、保水材８に複数の茎を配置し、挿入部６に複数の茎を通し、側面Ｂで複数の茎を支持すればよい。また、複数の保水材、複数の挿通部を設ける構成でもよい。
【００２０】
また、側面Ａ、側面Ｂの形状は、茎を固定する限りにおいて限定させるわけではないが、例えば、円、楕円、正方形、長方形、台形およびそれらの組み合わせであることが好ましい。なお、本実施形態においては、側面Ａとして長方形を、側面Ｂとして角丸長方形を採用した。
【００２１】
また、本実施形態において第一側面３を対向する２つの側面Ａで構成し、第二側面４を対向する２つの側面Ｂで構成したが、茎を固定する限りにおいて限定させるわけではない。例えば、１つの側面Ａ、１つの側面Ｂで構成してもよいし、３以上の側面Ａ、３つ以上の側面Ｂで構成してもよい。側面の個数を増やすほど、より強固に茎を支持することができる。
【００２２】
また、本実施形態において、紙質に関しては花のハンドキャリーパッケージを構成する限りにおいて限定されるわけではないが、保水材を保持するために、厚紙、防水機能を有する紙、撥水機能を有する紙、耐水機能を有する紙を採用することで、水漏れ等に対応できる紙質が望ましい。
【００２３】
また、本実施形態において底面の形状は、保水材の保持、茎の保持をする限りにおいて限定されるわけではないが、例えば、円、楕円、正方形、長方形、台形およびそれらの組み合わせであることが好ましく、設置面の形状等に応じた形状にするとよい。また、底面の形状を大きくするほど、ディスプレイ時の安定設置が可能となる利点がある。
【００２４】
また、本実施形態において開口部の形状は、花のハンドキャリーパッケージを持ち運びできる限りにおいて限定されるわけではないが、少なくとも一本の指を挿通可能な形であって、例えば、円、楕円、正方形、長方形、台形およびそれらの組み合わせであることが好ましい。なお、本実施形態においては角丸長方形を採用した。
【００２５】
また、本実施形態において開口部のサイズは、少なくとも一本の指を挿通可能なサイズであって、花のハンドキャリーパッケージを保持できる限りにおいて限定されるわけではないが、例えば、指一本のみを挿通可能なサイズ、四本の指を挿通可能なサイズ、さらに大きいサイズ（手のひらを挿通可能なサイズ、腕を挿通可能なサイズ等）であることが好ましい。また、花のサイズ、重量に応じて開口部のサイズを最適化することが好ましく、花のサイズ、重量が大きくなるほど、花を保持しやすいように開口部のサイズを大きくすることが好ましい。
【００２６】
また、本実施形態において花のハンドキャリーパッケージは、紙で構成されるものであって、表面は無地でもよいし、広告等の印刷を施したものでもよい。また、表面は平坦でもよいし、模様等を形成するために凹凸を設けてもよい。
【実施例】
【００２７】
以下、本考案の実施例を説明する。ただし、本考案の実施例は、本実施例に限定されず、本実施例の部品の材料や形状等を種々変形して実施することが可能である。
【００２８】
ここで、実際に花のハンドキャリーパッケージを作製し、使用して、その効果の確認を行なったので、以下に説明する。
【００２９】
図６は、花にハンドキャリーパッケージ１を装着し、開口部５に指を配して、花を持ち運ぶ状態を示す図である。開口部５には、四本の指が挿通され、持ち手付きの花のごとく花を持ち運ぶことができる。
【００３０】
また、図７は、花のハンドキャリーパッケージで花をディスプレイする状態を示す図である。底面２を設置面に配して、あたかも一輪挿しのごとく機能することが確認できる。
【００３１】
以上、本実施例により、一枚の紙で形成するという簡単な構成で、用途（持ち運び用途、ディスプレイ用途）に応じた形状変更が不要で、さらに花を固定することができる。すなわち、設置面に底面２が接するように配置すると、あたかも一輪挿し（花瓶）に飾られた花としてディスプレイ用途に最適であり、開口部５に指等を挿入することによって、容易に持ち運びが可能であることを確認した。
【産業上の利用可能性】
【００３２】
本考案は、ディスプレイ用途に最適であり、しかも花の持ち運びに適した花のハンドキャリーパッケージとして産業上の利用可能性がある。
【符号の説明】
【００３３】
１  ハンドキャリーパッケージ
２  底面
３  第一側面（側面Ａ）
４  第二側面（側面Ｂ）
５  開口部
６  挿入部
７  茎
８  保水材
１１  持ち運び機能部
１２  底部分
１３  正面部
１４  側面部
【図１】
0003221691.tif 000003
【図２】
0003221691.tif 000004
【図３】
0003221691.tif 000005
【図４】
0003221691.tif 000006
【図５】
0003221691.tif 000007
【図６】
0003221691.tif 000008
【図７】
0003221691.tif 000009
【図８】
0003221691.tif 000010